(57)【要約】【課題】サイフォン排水システムの排水性能を向上する。【解決手段】サイフォン排水管２４において、落とし込み部２４Ｃの曲率半径Ｒを横引管部分側で大、竪管部分側で小とすることで、曲率半径を一定とした場合に比較して、落とし込み部２４Ｃの流路抵抗が小さくでき、排水処理可能流量を増加させることが可能となる。【選択図】図２
2008115649.tif 000002
【特許請求の範囲】
【請求項１】
排水源に接続されてサイフォン力によって排水を行うサイフォン排水システムであって、
排水の通る排水管は排水方向を変更する湾曲した方向変換部分を備え、
前記方向変換部分は、排水方向で曲率半径が異なっている、こと特徴とするサイフォン排水システム。
【請求項２】
前記排水管は、水平方向に延びる横引管部分の下流側に前記方向変換部分を介して鉛直方向に延びる竪管部分を備え、
前記方向変換部分を側面視したときに、前記方向変換部分の曲率半径は、横引管部分側よりも竪管部分側が小さくなっている、ことを特徴とする請求項１に記載のサイフォン排水システム。
【請求項３】
前記排水管は、水平方向に延びる横引管部分の下流側に前記方向変換部分を介して鉛直方向に延びる竪管部分を備え、
前記方向変換部分を側面視したときに、前記方向変換部分の曲率半径は、横引管部分側よりも竪管部分側が大きくなっている、ことを特徴とする請求項１に記載のサイフォン排水システム。
【請求項４】
前記排水管は、水平方向に延びる横引管部分の下流側に前記方向変換部分を介して鉛直方向に延びる竪管部分を備え、
前記方向変換部分は、下方へ向けて螺旋状に形成されており、螺旋の曲率半径が下方へ向かうにしたがって小さくなっている、ことを特徴とする請求項１に記載のサイフォン排水システム。
【請求項５】
前記排水管は、水平方向に延びる横引管部分の下流側に前記方向変換部分を介して鉛直方向に延びる竪管部分を備え、
前記方向変換部分は、下方へ向けて螺旋状に形成されており、螺旋の曲率半径が下方へ向かうにしたがって大きくなっている、ことを特徴とする請求項１に記載のサイフォン排水システム。
【請求項６】
前記排水管は、前記横引管部分の上流側に前記方向変換部分を介して鉛直方向に延びる排水源側立て管を備え、
前記方向変換部分を側面視したときに、前記方向変換部分の曲率半径は、横引管部分側よりも排水源側立て管側が小さくなっている、ことを特徴とする請求項１に記載のサイフォン排水システム。
【請求項７】
前記排水管は、前記横引管部分の上流側に前記方向変換部分を介して鉛直方向に延びる排水源側立て管を備え、
前記方向変換部分を側面視したときに、前記方向変換部分の曲率半径は、横引管部分側よりも排水源側立て管側が大きくなっている、ことを特徴とする請求項１に記載のサイフォン排水システム。
【請求項８】
前記方向変換部分は、水平面内で湾曲している、ことを特徴とする請求項１に記載のサイフォン排水システム。
【請求項９】
前記方向変換部分はクロソイド曲線を描いている、ことを特徴とする請求項１乃至請求項８の何れか１項に記載のサイフォン排水システム。
【発明の詳細な説明】
【技術分野】
【０００１】
本発明は、排水性能を高めることができるサイフォン排水システムに関するものである。
【背景技術】
【０００２】
近年、マンションや戸建て住宅の排水にサイフォン排水システムが提案されている（特許文献１）。サイフォン排水システムでは、水廻り器具にサイフォン排水管（以下、問題のない限り排水管という）が接続され、この排水管は水頭差をもって排水立て管に接続されている。
【０００３】
通常、排水管は、例えば管径が２０Ａのポリブテン管が用いられ、スラブ上に無勾配で敷設された横引管部分、１／４円弧形状とされた落とし込み部（ベント）、及び鉛直方向に延びる竪管部分を備え、水は満流にて横引管部分、１／４円弧部分、及び竪管部分を順に流れ、竪管部分の水頭差の吸引力によってサイフォンが発生して排水が行われるものである。
【特許文献１】特開２０００−２９７４４７号公報
【０００４】
さて、サイフォン排水システムを施工・設計を行うにあたって、最も重要視しなければならない点が二つあり、一つは排水処理可能流量で、もう一つはサイフォン開始時間である。
排水処理可能流量とは、サイフォンが完全にかかった場合に、単位時間あたりにどれだけの流量が処理できるかという点であり、これが水廻り器具から排出される流量より小さいと、処理が追いつかず、どんどん水廻り器具に水が溢れてくることになり、また、排水時間が遅くなる不具合がある。
【０００５】
一方、サイフォン開始時間とは、水廻り器具から排水が開始してから、サイフォンが発生するまでタイムラグがあり、そのタイムラグの時間のことである。そのタイムラグの間に水廻り器具から排出された水に関しては、トラップ内や配管内、或いは、排水回路内に貯留部（以下、問題のない限り一時貯留槽という）を備えた一時貯留槽方式であれば、一時貯留槽内に排水が溜まっている状態になるが、このサイフォン開始時間が遅いと排水を溜めきれられず、サイフォン開始前に水廻り器具側に溢れてくることになる。
【発明の開示】
【発明が解決しようとする課題】
【０００６】
サイフォン排水システムにおいては、器具排水開始→横引管充水→竪管への流入→竪管満水という過程が必要である。器具排水の位置エネルギー（水頭）が大きければ、横引管充水→竪管流入（満水）はスムーズに行われるが、水頭が小さいユニットバスや、一度開放するために水頭がかかりにくい一時貯留槽方式においては、落とし込み部の形状によってサイフォン発生時間が大きく異なってくる。
当初のサイフォン排水システムでは、落とし込み部に曲率半径が比較的小さいエルボが用いられていたが、詰まりの心配があるため、落とし込み部の曲率半径を大きくする方向となった。
【０００７】
従来のサイフォン排水システムでは、落とし込み部（湾曲した方向変換部分）の形状が単純な単一Ｒ曲げ形状であった。
これまでの知見では、落とし込み部の曲率半径が大きいほど、流体の下方への加速度変化が小さく、横引満水状態をスムーズに竪管へ移行できることが分かっている。
【０００８】
この落とし込み部については、建築納まり上、極力平面占有面積を小さく（曲率半径を小さく）することが望まれている。しかしながら、落とし込み部の曲率半径が大きいと、貫通する床スラブ開口面積が大きくなる問題がある。
一方、落とし込み部の曲率半径を小さくすると、床下での納まりが良くなるが、曲率半径が小さいことと、直線から曲線へと急激に流れの向きが変わるため、サイフォン開始が遅くなったり、流路抵抗が大きくなって単位時間当たりの排水量が低下する問題がある。
このように、落とし込み部の形状が単一Ｒ曲げであると、上述した相反する問題が生じる。
【０００９】
本発明は上記事実を考慮し、湾曲した方向変換部分の形状を単一Ｒ曲げとした際の問題を解決し、排水性能を高めることができるサイフォン排水システムを提案するものである。
【課題を解決するための手段】
【００１０】
請求項１に記載の発明は、排水源に接続されてサイフォン力によって排水を行うサイフォン排水システムであって、排水の通る排水管は排水方向を変更する湾曲した方向変換部分を備え、前記方向変換部分は、排水方向で曲率半径が異なっている、こと特徴としている。
【００１１】
次に、請求項１に記載のサイフォン排水システムの作用を説明する。
請求項１に記載のサイフォン排水システムでは、サイフォン力によって排水源の排水が行われる。また、方向変換部分の曲率半径を排水方向で異ならせることで、曲率半径を一定とした場合に対し、排水性能を高めることができる。
【００１２】
例えば、水平方向に延びる横引管部分の下流側に鉛直方向に延びる竪管部分を備えた構成において、方向変換部分の曲率半径を横引管部分側で大、竪管部分側で小とした本発明品と、サイフォン開始時間が本発明品と同等となるように曲率半径を一定とした従来品とを比較した場合、本発明品の方が方向変換部分の流路抵抗を小さくでき、排水処理可能流量が増加する。
【００１３】
一方、方向変換部分の曲率半径を横引管部分側で小、竪管部分側で大とした本発明品と、方向変換部分の流路抵抗が本発明品と同等となるように曲率半径を一定とした従来品とを比較した場合、本発明品の方が水の下方への加速度変化を大きくでき、サイフォン開始時間を早めることができる。
このように、本発明では、方向変換部分の曲率半径を排水方向で異ならせることで、曲率半径を一定とした場合に比較して排水性能を高めることができる。
【００１４】
請求項２に記載の発明は、請求項１に記載のサイフォン排水システムにおいて、前記排水管は、水平方向に延びる横引管部分の下流側に前記方向変換部分を介して鉛直方向に延びる竪管部分を備え、前記方向変換部分を側面視したときに、前記方向変換部分の曲率半径は、横引管部分側よりも竪管部分側が小さくなっている、ことを特徴としている。
【００１５】
次に、請求項２に記載のサイフォン排水システムの作用を説明する。
水平方向に延びる横引管部分の下流側に鉛直方向に延びる竪管を設けた場合、方向変換部分の曲率半径を、横引管部分側で大、竪管部分側で小とすることで、方向変換部分の流路抵抗が小さく少なり、排水処理可能流量を増加させることが可能となる。
【００１６】
請求項３に記載の発明は、請求項１に記載のサイフォン排水システムにおいて、前記排水管は、水平方向に延びる横引管部分の下流側に前記方向変換部分を介して鉛直方向に延びる竪管部分を備え、前記方向変換部分を側面視したときに、前記方向変換部分の曲率半径は、横引管部分側よりも竪管部分側が大きくなっている、ことを特徴としている。
【００１７】
次に、請求項３に記載のサイフォン排水システムの作用を説明する。
水平方向に延びる横引管部分の下流側に鉛直方向に延びる竪管を設けた場合、方向変換部分の曲率半径を、横引管部分側で小、竪管部分側で大とすることで、排水管を上下に貫通させるスラブの穴の径を大幅に小さくすることができる。
【００１８】
請求項４に記載の発明は、請求項１に記載のサイフォン排水システムにおいて、前記排水管は、水平方向に延びる横引管部分の下流側に前記方向変換部分を介して鉛直方向に延びる竪管部分を備え、前記方向変換部分は、下方へ向けて螺旋状に形成されており、螺旋の曲率半径が下方へ向かうにしたがって小さくなっている、ことを特徴としている。
【００１９】
次に、請求項４に記載のサイフォン排水システムの作用を説明する。
水平方向に延びる横引管部分の下流側に鉛直方向に延びる竪管を設けた場合において、方向変換部分の曲率半径を、横引管部分側で大、竪管部分側で小とすることで、落とし込み部の流路抵抗が小さく少なり、排水処理可能流量を増加させることが可能となる。
【００２０】
請求項５に記載の発明は、請求項１に記載のサイフォン排水システムにおいて、前記排水管は、水平方向に延びる横引管部分の下流側に前記方向変換部分を介して鉛直方向に延びる竪管部分を備え、前記方向変換部分は、下方へ向けて螺旋状に形成されており、螺旋の曲率半径が下方へ向かうにしたがって大きくなっている、ことを特徴としている。
【００２１】
次に、請求項５に記載のサイフォン排水システムの作用を説明する。
水平方向に延びる横引管部分の下流側に鉛直方向に延びる竪管を設けた場合において、方向変換部分の曲率半径を、横引管部分側で小、竪管部分側で大とすることで、水の下方への加速度変化を大きくでき、サイフォン開始時間を早めることができる。
【００２２】
請求項６に記載の発明は、請求項１に記載のサイフォン排水システムにおいて、前記排水管は、前記横引管部分の上流側に前記方向変換部分を介して鉛直方向に延びる排水源側立て管を備え、前記方向変換部分を側面視したときに、前記方向変換部分の曲率半径は、横引管部分側よりも排水源側立て管側が小さくなっている、ことを特徴としている。
【００２３】
次に、請求項６に記載のサイフォン排水システムの作用を説明する。
横引管部分の上流側に鉛直方向に延びる排水源側立て管を設けた場合において、方向変換部分の曲率半径を、横引管部分側よりも排水源側立て管側で小さくすることで、例えば、排水源側立て管を、スラブに形成した上下に貫通する穴等に通す場合、その穴の径を大幅に小さくすることができる。
【００２４】
請求項７に記載の発明は、請求項１に記載のサイフォン排水システムにおいて、前記排水管は、前記横引管部分の上流側に前記方向変換部分を介して鉛直方向に延びる排水源側立て管を備え、前記方向変換部分を側面視したときに、前記方向変換部分の曲率半径は、横引管部分側よりも排水源側立て管側が大きくなっている、ことを特徴としている。
【００２５】
次に、請求項７に記載のサイフォン排水システムの作用を説明する。
横引管部分の上流側に鉛直方向に延びる排水源側立て管を設けた場合において、方向変換部分の曲率半径を、横引管部分側よりも排水源側立て管側で大きくすることで、方向変換部分の流路抵抗が小さく少なり、排水処理可能流量を増加させることが可能となる。
【００２６】
請求項８に記載の発明は、請求項１に記載のサイフォン排水システムにおいて、前記方向変換部分は、水平面内で湾曲している、ことを特徴としている。
【００２７】
次に、請求項８に記載のサイフォン排水システムの作用を説明する。
請求項８に記載のサイフォン排水システムでは、方向変換部分によって水平面内で排水方向が変更されている。また、方向変換部分の曲率半径を排水方向で異ならせているので、曲率半径を一定とした場合に対し、排水性能を高めることができる。
【００２８】
請求項９に記載の発明は、前記方向変換部分はクロソイド曲線を描いている、ことを特徴とする請求項１乃至請求項８の何れか１項に記載のサイフォン排水システム。
【００２９】
次に、請求項９に記載のサイフォン排水システムの作用を説明する。
クロソイド曲線は、曲率半径が徐々に変化する曲線であり、曲率半径の変化に段差が無く、水の流れがスムーズになる。
【発明の効果】
【００３０】
本発明のサイフォン排水システムは上記の構成としたので、方向変換部分の形状を単一Ｒ曲げ形状とした従来システムに対し、排水性能を高めることができる。
【発明を実施するための最良の形態】
【００３１】
［第１の実施形態］
図１には、本発明の第１の実施形態に係るサイフォン排水システム１０が示されている。
図１に示すように、集合住宅のパイプシャフトスペース１２中には排水立て管１４が配置されている。
水廻り機器１６にあっては、トラップ１８が備えられ、これに排水導管２０が繋がれ、一時貯留槽２２に接続されている。
【００３２】
この一時貯留槽２２の底部には、サイフォン排水管２４の上端が接続されている。
サイフォン排水管２４は、スラブ２６上に水平に這わせた横引管部分（長さＬｈ）２４Ａ、排水立て管１４に沿って鉛直に這わされた竪管部分（水頭差Ｈｓ）２４Ｂ、横引管部分２４Ａと竪管部分２４Ｂとを連結する側面視で曲線状とされた落とし込み部２４Ｃを備え、竪管部分２４Ｂの下端が排水立て管１４に接続されている。なお、符号２８は通気管である。
【００３３】
本実施形態のサイフォン排水管２４の管径は２０Ａである。サイフォン排水管２４の管径は、サイフォン力を発生できれば他のサイズであっても良いが、サイフォン排水管２４の管径が細過ぎると処理流量が小さくなり、太過ぎるとサイフォン起動時間が遅くなるという欠点があり、その管径は１５〜３０Ａが好ましい。
【００３４】
従来では、落とし込み部２４Ｃが単一の曲率半径で形成されていたが、本実施形態では曲率半径が部分的に異なっている。
図２に示すように、本実施形態では、側面視したときの落とし込み部２４Ｃの曲率半径Ｒは、横引管部分側が大、竪管部分側が横引管部分側よりも小となっている。なお、図２中の符号２４Ｃａは曲率半径が大の円弧部分、符号２４Ｃｂは曲率半径が大の円弧部分を示している。
【００３５】
（作用）
本実施形態では、上述したように落とし込み部２４Ｃの曲率半径Ｒを、横引管部分側で大、竪管部分側で小とすることで、サイフォン開始時間が本実施形態と同等となるように落とし込み部２４Ｃの曲率半径を一定とした場合に比較して、落とし込み部２４Ｃの流路抵抗を小さくでき、排水処理可能流量を増加させることができる。
【００３６】
なお、図２に示すように、落とし込み部２４Ｃの曲率半径を一定とした場合に比較して、図２の横方向長さを短くもできる。
【００３７】
［第２の実施形態］
図３には、本発明の第２の実施形態に係るサイフォン排水システム１０の要部が示されている。なお、第１の実施形態と同一構成には同一符号を付し、その説明は省略する。
図３に示すように、本実施形態では、側面視したときの落とし込み部２４Ｃの曲率半径Ｒは、横引管部分側が小、竪管部分側が横引管部分側よりも大となっている。
【００３８】
（作用）
本実施形態では、上述したように落とし込み部２４Ｃの曲率半径Ｒを、横引管部分側で小、竪管部分側で大としたので、落とし込み部２４Ｃの流路抵抗が本実施形態と同等となるように落とし込み部２４Ｃの曲率半径を一定した場合に比較して、水の下方への加速度変化を大きくでき、サイフォン開始時間を早めることができる。
【００３９】
ここで、サイフォン排水システム１０にあって、サイフォン排水管２４の先端に水頭差Ｈｓを備えただけではサイフォンの発生はなく、サイフォン排水管２４内の水に対してある程度の水圧がかからないとサイフォン起動は行われない。かかる水圧をかけるための最低水頭をサイフォン起動水頭Ｈｐ（図１参照）と称するが、サイフォン起動水頭Ｈｐを小さくすれば、水頭差Ｈｓまでの距離が短くなり、これによってサイフォン開始時間を早めることが可能となる。
【００４０】
本実施形態では、落とし込み部２４Ｃにおいてサイフォン開始時間を早めることができるので、その分、上流側のサイフォン起動水頭Ｈｐを小さくすることができ、一時貯留槽の容量・背丈を小さくし、更には施工可能領域の拡大を図ることが出来る。
【００４１】
また、落とし込み部２４Ｃにおいて、横引管部分側の曲率半径を小さくすることで、曲率半径を一定とした場合（図３中で２点鎖線で図示）に比較して、図３の横方向長さを大幅に短くでき、これによりサイフォン排水管２４を貫通させるスラブ２６の穴３０の径を大幅に小さくすることができる。
【００４２】
［第３の実施形態］
図４には、本発明の第３の実施形態に係るサイフォン排水システム１０の要部が示されている。なお、前述した実施形態と同一構成には同一符号を付し、その説明は省略する。
図４に示すように、本実施形態では、落とし込み部２４Ｃが、側面視したときに横引管部分側から竪管部分側へ向けて曲率半径が小さくなるクロソイド曲線を描いている。
【００４３】
（作用）
本実施形態では、第１の実施形態と同様に、落とし込み部２４Ｃの曲率半径Ｒが、横引管部分側で大、竪管部分側で小となるので、落とし込み部２４Ｃの流路抵抗が小さく少なり、排水処理可能流量を増加させることができる。
また、クロソイド曲線は、曲率半径が徐々に変化する曲線であり、曲率半径の変化に段差が無いので、落とし込み部２４Ｃにおいて水の流れがスムーズになる。
【００４４】
［第４の実施形態］
図５には、本発明の第４の実施形態に係るサイフォン排水システム１０の要部が示されている。なお、前述した実施形態と同一構成には同一符号を付し、その説明は省略する。
図５に示すように、本実施形態では、落とし込み部２４Ｃが、側面視したときに横引管部分側から竪管部分側へ向けて曲率半径が大きくなるクロソイド曲線を描いている。
【００４５】
（作用）
本実施形態では、第２の実施形態と同様に、落とし込み部２４Ｃの曲率半径Ｒが、横引管部分側で小、竪管部分側で大となるので、水の下方への加速度変化を大きくでき、サイフォン開始時間を早めることができる。
【００４６】
また、クロソイド曲線は、曲率半径が徐々に変化する曲線であり、曲率半径の変化に段差が無いので、落とし込み部２４Ｃにおいて水の流れがスムーズになる。
【００４７】
［第５の実施形態］
図６には、本発明の第５の実施形態に係るサイフォン排水システム１０の要部が示されている。なお、前述した実施形態と同一構成には同一符号を付し、その説明は省略する。
図６に示すように、本実施形態では、下方へ向けて螺旋状に形成されており、螺旋の曲率半径Ｒが下方へ向かうにしたがって徐々に小さくなっており、ピッチＰが下方へ向かうにしたがって徐々に大きくなっている。
【００４８】
（作用）
落とし込み部２４Ｃの曲率半径Ｒを横引管部分側で大、竪管部分側で小とし、ピッチＰを下方へ向かうにしたがって徐々に大きくすることで、落とし込み部２４Ｃの流路抵抗が小さく少なり、排水処理可能流量を増加させることが可能となる。また、ピッチＰは、一定とするよりも下方へ向かうにしたがって徐々に大きくする方が、排水速度を高くできる。
【００４９】
［第６の実施形態］
図７には、本発明の第６の実施形態に係るサイフォン排水システム１０の要部が示されている。なお、前述した実施形態と同一構成には同一符号を付し、その説明は省略する。
図７に示すように、本実施形態では、下方へ向けて螺旋状に形成されており、螺旋の曲率半径Ｒが下方へ向かうにしたがって徐々に大きくなっており、ピッチＰが下方へ向かうにしたがって徐々に大きくなっている。
【００５０】
（作用）
落とし込み部２４Ｃの曲率半径Ｒを横引管部分側で小、竪管部分側で大とし、ピッチＰを下方へ向かうにしたがって徐々に大きくすることで、曲率半径を一定とした場合に比較して、水の下方への加速度変化を大きくでき、サイフォン開始時間を早めることができる。
【００５１】
［第７の実施形態］
図８は、本発明の第７の実施形態に係るサイフォン排水システム１０の要部が示されている。なお、前述した実施形態と同一構成には同一符号を付し、その説明は省略する。
図８に示すように、本実施形態では、水廻り機器１６の下流側に、トラップ１８、排水導管２０、一時貯留槽３２、排水側立て管部３４、方向変換部分としての湾曲部３６を介して横引管部分２４Ａが順に配置されている。
排水側立て管部３４、及び湾曲部３６の一部分は、スラブ２６の穴３０を上下に貫通している。
【００５２】
本実施形態の湾曲部３６の曲率半径は、排水側立て管部３４で小、横引管部分２４Ａ側で大となっており、これにより、穴３０の径を小さくすることが出来た。
なお、穴３０の径が大きくても良いのであれば、湾曲部３６の曲率半径を、排水側立て管部３４で大、横引管部分２４Ａ側で小としても良い。これにより、流路抵抗を小さくでき、排水処理可能流量を増加させることができる。
また、湾曲部３６は、曲率半径が徐々に変化するクロソイド曲線としても良い。
【００５３】
［第８の実施形態］
図９は、本発明の第８の実施形態に係るサイフォン排水システム１０の要部が示されている。なお、前述した実施形態と同一構成には同一符号を付し、その説明は省略する。
図９に示すように、本実施形態では、水廻り機器１６の下流側に、トラップ１８を介してサイフォン排水管２４が配置されている。
本実施形態のサイフォン排水管２４では、横引管部分２４Ａの上流側が方向変換部分としての横引管湾曲部分２４Ａａとなっており、横引管湾曲部分２４Ａａの上流側が鉛直方向に延びる鉛直部２４Ａｂとなっている。
本実施形態の横引管湾曲部分２４Ａａの曲率半径は、上流側が大、下流側が小となっており、これにより、横引管湾曲部分２４Ａａの流路抵抗を小さくできる。
【００５４】
［第９の実施形態］
図１０は、本発明の第９の実施形態に係るサイフォン排水システム１０の要部が示されている。なお、前述した実施形態と同一構成には同一符号を付し、その説明は省略する。
図１０の平面図で示すように、本実施形態では、横引管部分２４Ａが、スラブ上で方向を変更するために一部分が曲げられている（以後、スラブ上で横引管部分２４Ａが水平面内で曲げられている部分を、横引管湾曲部分２４Ａａと呼ぶ。）。なお、図９において符号４２は柱であり、横引管部分２４Ａは、柱４２の角近傍で曲げられている。
【００５５】
この横引管湾曲部分２４Ａａを平面視したときの形状は、上流側で曲率半径大、下流側で曲率半径が小となるように湾曲している。このため、単一の曲率半径で曲げた場合と比較して流路抵抗を小さくでき、排水処理可能流量を増加させることができる。
なお、横引管湾曲部分２４Ａａは、曲率半径が徐々に変化するクロソイド曲線としても良い。
【００５６】
［第１０の実施形態］
図１１には、本発明の第１０の実施形態に係るサイフォン排水システム１０の要部が示されている。なお、前述した実施形態と同一構成には同一符号を付し、その説明は省略する。
図１１の平面図で示すように、本実施形態では、横引管部分２４Ａが、壁４４の穴４６を通して方向変換するために横引管湾曲部分２４Ａａを備えている。
横引管部分２４Ａは、穴４６の上流側では壁４４に沿って配置され、穴４６の下流側では壁４４から直角方向に配置されている。
【００５７】
本実施形態の横引管湾曲部分２４Ａａを平面視したときの形状は、上流側で曲率半径小、下流側で曲率半径が大となるように湾曲している。このため、穴４６の径を小さくすることが出来た。
なお、横引管湾曲部分２４Ａａは、曲率半径が徐々に変化するクロソイド曲線としても良い。
【００５８】
［その他の実施形態］
なお、上記第１，２実施形態では、落とし込み部２４Ｃが大小２つの曲率半径を有していたが、本発明はこれに限らず、３つ以上の曲率半径を有していても良い。
【００５９】
上記第３，４実施形態では、落とし込み部２４Ｃの曲線としてクロソイド曲線を用いたが、本発明はこれに限らず、曲率半径が徐々に変化するものであればクロソイド曲線以外の曲線であっても良い。
【００６０】
また、上記実施形態では、本発明のサイフォン排水システムを集合住宅に用いた例を示したが、本発明はこれに限らず、オフィスビルのような一般建築、戸建住宅等の他の建築物に用いても良い。
【図面の簡単な説明】
【００６１】
【図１】第１の実施形態に係るサイフォン排水システムの全体図である。
【図２】図１に示すサイフォン排水管の落とし込み部の拡大した側面図である。
【図３】第２の実施形態に係るサイフォン排水管の落とし込み部の側面図である。
【図４】第３の実施形態に係るサイフォン排水管の落とし込み部の側面図である。
【図５】第４の実施形態に係るサイフォン排水管の落とし込み部の側面図である。
【図６】（Ａ）は第５の実施形態に係るサイフォン排水管の落とし込み部の斜視図であり、（Ｂ）は落とし込み部の上面図であり、（Ｃ）は落とし込み部の側面図である。
【図７】（Ａ）は第６の実施形態に係るサイフォン排水管の落とし込み部の斜視図であり、（Ｂ）は落とし込み部の上面図であり、（Ｃ）は落とし込み部の側面図である。
【図８】第７の実施形態に係るサイフォン排水管の要部を示す側面図である。
【図９】第８の実施形態に係るサイフォン排水管の要部を示す側面図である。
【図１０】第９の実施形態に係るサイフォン排水管の要部を示す平面図である。
【図１１】第１０の実施形態に係るサイフォン排水管の要部を示す平面図である。
【符号の説明】
【００６２】
１０      サイフォン排水システム
１４      立て管
１６      水廻り機器
２２      一時貯留槽
２４      サイフォン排水管（排水管）
２４Ａ    横引管部分
２４Ａａ  横引管湾曲部分（方向変換部分）
２４Ｂ    竪管部分
２４Ｃ    落とし込み部（方向変換部分）
２６      スラブ
３０      穴
３６      湾曲部（排水管、方向変換部分）
４４      壁
４６      穴
Ｈｐ      サイフォン起動水頭
Ｈｓ      水頭差
Ｐ        ピッチ
Ｒ        曲率半径
【図１】
2008115649.tif 000003
【図２】
2008115649.tif 000004
【図３】
2008115649.tif 000005
【図４】
2008115649.tif 000006
【図５】
2008115649.tif 000007
【図６】
2008115649.tif 000008
【図７】
2008115649.tif 000009
【図８】
2008115649.tif 000010
【図９】
2008115649.tif 000011
【図１０】
2008115649.tif 000012
【図１１】
2008115649.tif 000013